(57)【要約】【課題】  広面積のガラス壁の表面を効率よく清掃でき、簡便な構造で、ガラス壁の外観を損ねることもなく、製造及び設置コストも安くで済む手動式の清掃装置を提供する。【解決手段】  清掃すべきガラス（２１）の丈と略等しい長さを有し、上端及び下端に設けたローラ（１２ａ，１３ａ等）により、ガラスを固定するフレームの上枠（２２）と下枠（２３）に沿って垂直状態を保って移動可能なよう保持された手動ポール（１１等）と、当該手動ポールの略全長にわたって延びるよう取り付けられ、ガラスの表面を払拭するワイパーブレード（１４）と、から構成されたことを特徴とする。上記手動ポールを１本（１１）とし、その上端及び下端に複数のローラを有するシュー（１２，１３）を取り付けたり、或いはまた、手動ポールを２本（１１Ａ，１１Ｂ）設け、これら２本のポールを互いに接離可能なよう連結するように構成してもよい。【選択図】  図１
2006087467.tif 000002
【特許請求の範囲】
【請求項１】
清掃すべきガラス（２１）の丈と略等しい長さを有し、上端及び下端に設けたローラ（１２ａ〜１２ｃ，１３ａ〜１３ｃ）により、ガラスを固定するフレームの上枠（２２）と下枠（２３）に沿って垂直状態を保って移動可能なよう保持された手動ポール（１１，１１Ａ，１１Ｂ）と、当該手動ポールの略全長にわたって延びるよう取り付けられ、ガラスの表面を払拭するワイパーブレード（１４）と、から構成されたことを特徴とする広幅のガラス壁の清掃装置。
【請求項２】
上記手動ポールが１本（１１）であり、その上端及び下端に当該ポールの横幅よりも広い横幅を有するシュー（１２，１３）を取り付け、当該シューに複数個の上記ローラ（１２ａ，１２ｂ，１３ａ，１３ｂ）を取り付けたことを特徴とする請求項１に記載の広幅のガラス壁の清掃装置。
【請求項３】
上記手動ポールを２本（１１Ａ，１１Ｂ）設け、その少なくとも１本にワイパーブレード（１４）を取り付けると共に、これら２本のポールを互いに接離可能なよう連結し、使用時には２本のポールの間隔を広げ、不使用時には折り畳んで２本のポールが略接触する状態にまとめられるよう構成したことを特徴とする請求項１に記載の広幅のガラス壁の清掃装置。
【請求項４】
ガラスを固定するフレームの上枠（２２）及び下枠（２３）に、その長手方向に沿って上記ローラの少なくとも１つ（１２ｂ，１３ｂ）をガイドするガイドスロット（２２ａ，２３ａ）を形成したことを特徴とする請求項１から３までのいずれか一項に記載の広幅のガラス壁の清掃装置。
【請求項５】
ガラスを固定するフレームの上枠及び下枠に取り付けられる補助枠（２４）であって、その長手方向に沿って上記ローラの少なくとも１つをガイドするガイドスロット（２４ａ）が形成された補助枠を設けたことを特徴とする請求項１から３までのいずれか一項に記載の広幅のガラス壁の清掃装置。
【請求項６】
不使用時に上記手動ポールを所定位置に固定するロック機構を設けたことを特徴とする請求項１から５までのいずれか一項に記載の広幅のガラス壁の清掃装置。
【請求項７】
上記ワイパーブレード（１４）がガラス面（２１）に対して所定の圧力で当接するよう、ワイパーブレードを上記ポール（１１）に対してスプリング付勢（１６）して取り付けたことを特徴とする請求項１から６までのいずれか一項に記載の広幅のガラス壁の清掃装置。
【請求項８】
ガラスを固定するフレームの上枠（２２）に、ガラス表面への散水パイプ（２２ｂ）を設けたことを特徴とする請求項１から７までのいずれか一項に記載の広幅のガラス壁の清掃装置。
【請求項９】
手動ポール（１１）の内部又は側面上に、手動ポールの下部から上部へ延びる給水パイプを設け、手動ポールの上端近くに、当該給水パイプがガラス表面へ向けて開口する散水口を設けたことを特徴とする請求項１から７までのいずれか一項に記載の広幅のガラス壁の清掃装置。
【請求項１０】
ガラスを固定するフレームの上枠に取り付けられる上記補助枠に、ガラス表面への散水パイプを設けたことを特徴とする請求項５に記載の広幅のガラス壁の清掃装置。
【発明の詳細な説明】
【技術分野】
【０００１】
本発明は、広幅のガラス壁の清掃装置に関し、より具体的には、ショーウインドウ等の大型のガラスの表面を効率よく清掃することのできる手動式の清掃装置に関するものである。
【背景技術】
【０００２】
ビルの窓ガラスの外面を自動的に洗浄する装置は、これまでにも多く提案されており、それらの例として例えば下記特許文献１〜４に記載のものを挙げることができる。
【０００３】
【特許文献１】特表２００３−５１６７９２号公報（特願２００１−５４４５５９）
【特許文献２】特願２００４−０８２４２５
【特許文献３】特願２００４−１３６９５１
【特許文献４】特願２００４−１９６９４０
【０００４】
これらの装置は、ビルの外壁面に沿って移動可能な台車機構に設けたワイパーユニットのワイパーブレードでガラスの表面を拭き清めるようになっており、その台車機構を移動させるためにモーター等を使用するため、一般的に大型で高価なものであった。
そのため、ショーウインドウ等のように人通りの多い場所に設置するには適さず、また、台車機構を支持するためのガイドレール等も設ける必要があるので、美観を重視するショーウインドウ等のガラス壁の清掃に用いることはできなかった。
従って、ショーウインドウ等の広幅のガラス壁の清掃は、現在でも殆ど人手に頼っており、非効率的であった。
また、人目を集めることを一つの目的とするこれらのガラス壁は常に磨かれた状態にあることが要求され、汚れのひどい部分だけ磨くと、磨いていない部分との差が目立つため、磨くときは全面的に磨く必要があり、その労力と人件費は多大なものになるという問題があった。
【発明の開示】
【発明が解決しようとする課題】
【０００５】
本発明は、上記の問題点を解決するためなされたものであり、その目的とするところは、ショーウインドウ等の広面積のガラス壁の表面を効率よく清掃でき、簡便な構造で、ガラス壁の外観を損ねることもなく、製造及び設置コストも安くで済む手動式の清掃装置を提供することにある。
【課題を解決するための手段】
【０００６】
上記の目的は、
清掃すべきガラスの丈（たけ）と略等しい長さを有し、上端及び下端に設けたローラにより、ガラスを固定するフレームの上枠と下枠に沿って垂直状態を保って移動可能なよう保持された手動ポールと、当該手動ポールの略全長にわたって延びるよう取り付けられ、ガラスの表面を払拭するワイパーブレードと、から構成されたことを特徴とする広幅のガラス壁の清掃装置によって達成できる。
【０００７】
上記手動ポールを１本とし、その上端及び下端に当該ポールの横幅よりも広い横幅を有するシューを取り付けるようにしてもよいし、或いはまた、上記手動ポールを２本設け、その少なくとも１本にワイパーブレードを取り付けると共に、これら２本のポールを互いに接離可能なよう連結し、使用時には２本のポールの間隔を広げ、不使用時には折り畳んで２本のポールが略接触する状態にまとめられるように構成することも推奨される。
【０００８】
ガラスを固定するフレームの上枠及び下枠には、その長手方向に沿って上記ローラの少なくとも１つをガイドするガイドスロットを形成することが推奨される。
また、ガラスを固定する既存のフレームの上枠及び下枠が、上記の如きガイドスロットを有さない場合には、当該既存のフレームの上枠及び下枠に取り付けられる補助枠であって、その長手方向に沿って上記ローラの少なくとも１つをガイドするガイドスロットが形成された補助枠を設けるようにすることが推奨される。
【０００９】
更にまた、不使用時に上記手動ポールを所定位置に固定するロック機構を設けることが望ましい。
また、上記ワイパーブレードがガラス面に対して所定の圧力で当接するよう、ワイパーブレードを上記ポールに対してスプリング付勢して取り付けることも推奨される。
更にまた、ガラスを固定するフレームの上枠に、ガラス表面への散水パイプを設けることも推奨される。
或いはまた、手動ポールの内部又は側面上に、手動ポールの下部から上部へ延びる給水パイプを設け、手動ポールの上端近くに、当該給水パイプがガラス表面へ向けて開口する散水口を設けるようにしてもよい。
ガラスを固定するフレームの上枠に前記補助枠を取り付ける場合には、当該補助枠に、ガラス表面への散水パイプを設けることが推奨される。
【発明の効果】
【００１０】
上記の如き構成であると、ガラス壁の清掃が必要なときには、上記手動ポールを手で押してガラス壁の前面を移動させるだけで、ポールに取り付けられたワイパーブレードがガラスの表面を全面的に払拭し、清掃が行われるものであるから、簡単な操作で効率よく清掃作業が完了し、従来必要とされた労力と人件費を大幅に軽減し得るものである。また、簡便な構造で、大型の装置を必要としないため、不使用時にもガラス壁の外観を損なうことがなく、価格的にも安くで提供できる。
【発明を実施するための最良の形態】
【００１１】
以下、図面に示す実施例を参照しつつ、本発明を実施するための最良の形態について説明する。
【実施例】
【００１２】
図１は、本発明に係る広幅のガラス壁の清掃装置の一実施例を示す正面図、図２は、図１中のII−II線に沿った中間省略縦断面図、図３は、図１及び図２中のIII−III線に沿った横断面図、図４は、ガラスを固定するフレームの下枠に取り付けられる補助枠の一実施例を示す断面図、図５は、本発明に係る広幅のガラス壁の清掃装置のもう一つの実施例を示す正面図、図６は、図５に示した清掃装置を折り畳む途中の状態を示す正面図である。
【００１３】
まず、図１〜図３に示す実施例について説明する。
これらの図中、１１は手動ポール、１２及び１３は、手動ポール１１の上端及び下端に取り付けられたシュー、１２ａ及び１２ｂは、シュー１２に取り付けられたローラ、１３ａ及び１３ｂは、シュー１３に取り付けられたローラ、１４はワイパーブレード、１５はワイパーホルダ、１６は押出しスプリング、２１は清掃すべき広幅のガラス壁のガラス、２２は、ガラスを固定するフレームの上枠、２２ａは、前記ローラ１２ｂをガイドするため上記上枠２２に形成されたガイドスロット、２２ｂは散水パイプ、２３はガラスを固定するフレームの下枠、２３ａは下枠２３に形成されたガイドスロットである。
【００１４】
図１に示す如く、手動ポール１１は、ガラス２１の丈（たけ）と略等しい長さを有し、その上端及び下端には当該ポール１１の横幅よりも広い横幅を有するシュー１２，１３が取り付けられ、上側のシュー１２には複数個のローラ１２ａ，１２ｂが設けられ、下側のシュー１３にも複数個のローラ１３ａ，１３ｂが設けられている。
図２及び図３に示すように、下側のシュー１３に取り付けられた２個のローラ１３ａ，１３ａは、ガラス２１に対して垂直な軸を中心に回動自在に保持され、ガラスを固定するフレームの下枠２３上を転動可能なようになっている。また、ローラ１３ｂ，１３ｂは、ガラス２１に対して平行な軸を中心に回動自在に保持され、ガラスを固定するフレームの下枠２３に形成した長手方向に延びるガイドスロット２３ａ内を当該スロットに沿って転動可能なようになっている。
図示した実施例において、下側のシュー１３内にはローラ１３ｂ，１３ｂが４個設けられ（図３参照）、各ローラがそれらの内部の矢印で示す方向にスプリング付勢され、ガイドスロット２３ａの両側の内壁に各ローラが交互に所定の圧力で当接した状態で転動することにより、シュー１３がガタつくことなくフレームの下枠２３に沿って円滑に移動し得るようになっている。
【００１５】
上側のシュー１２についても同様であり、シュー１２に取り付けられた２個のローラ１２ａ，１２ａは、ガラス２１に対して垂直な軸を中心に回動自在に保持され、ガラスを固定するフレームの上枠２２の下面に沿って転動可能なようになっている。また、ローラ１２ｂ，１２ｂは、ガラス２１に対して平行な軸を中心に回動自在に保持され、ガラスを固定するフレームの上枠２２に形成した長手方向に延びるガイドスロット２２ａ（図２参照）内を当該スロットに沿って転動可能なようになっている。図示した実施例において、上側のシュー１２内にもローラ１２ｂ，１２ｂが４個設けられ（図１参照）、各ローラがガイドスロット２２ａの内壁に向けてプリング付勢されることにより、上側のシュー１２がガタつくことなくフレームの上枠２２に沿って円滑に移動し得るようになっている。
【００１６】
このように、１本の手動ポール１１を、それより横幅の広い上下のシュー１２及び１３に設けた複数のローラによって安定的に保持することにより、図１に示すように、作業員が手動ポール１１を持ってこれを押したり引いたりすると、手動ポール１１は垂直状態を保って、フレームの上枠（２２）と下枠（２３）に沿ってスムースに移動し得るものである。
【００１７】
手動ポール１１がガラス２１と対向する面には、その略全長にわたって延びるようワイパーブレード１４が取り付けられ（図２及び図３参照）、上記の如く手動ポール１１をフレームの上枠及び下枠に沿って移動させると、ワイパーブレード１４がガラスの表面を払拭、清掃するようになっている。
【００１８】
より具体的には、図３に示す如く、ワイパーブレード１４は、ワイパーホルダ１５の先端に取り付けられている。ワイパーホルダ１５は、中空の手動ポール１１内でガラス２１へ向けて進出、後退し得るよう変位可能に保持されており、その後端を押出しスプリング１６によってガラス２１へ向けて押し出されるように付勢されている。
これにより、ガラス２１に或る程度の歪みがあったり、手動ポール１１がガラス面から離れる方向へ幾分変位したような場合においても、ワイパーブレード１４とガラス表面の接触が保たれ、十全な洗浄が行われるようになっている。
【００１９】
図２に示すように、フレームの上枠２２には、ガラス表面へ水若しくは適宜の洗剤を混合した洗浄水を供給するための散水パイプ２２ｂを設けることが推奨される。
また、フレームの上枠２２が既存のもので、散水パイプが備えられていない場合には、手動ポール１１の内部又は側面上に、手動ポールの下部から上部へ延びる給水パイプを設けると共に、手動ポールの上端近くで当該給水パイプがガラス表面へ向けて開口する散水口を設けるようにし、手動ポール１１の下部に設けた上記給水パイプの入口に外部ホースを接続して、散水するようにしてもよい。
【００２０】
なお、不使用時に上記手動ポール１１をガラス壁の片側等の目立たない箇所に退避させ、保管しておくために、手動ポール１１を壁面の所定位置に固定する掛け金、チェーンその他のロック機構（図では省略）を設けることが望ましい。
【００２１】
ガラスを固定するフレームが既存のもので、その上枠及び下枠に、前記ローラ１２ａ，１２ｂ，１３ａ，１３ｂ等々を取り付けることが困難な場合には、図４に示す如く、既存の下枠（及び上枠）２３に、補助枠２４を取り付けるようにすることが推奨される。
補助枠２４には、ローラ１３ｂが嵌め入れられる長手方向に延びるガイドスロット２４ａと、ローラ１３ａがその上を転動し得る平坦面２４ｂとが形成され、図示する如く、既存の下枠（及び上枠）２３にネジ２５によって、若しくはリベット止め、ポイント溶接、その他の手段によって固定するようにする。
また、既存の上枠にこのような補助枠を取り付ける場合には、当該補助枠に、前記散水パイプ２２ｂと同様の散水パイプを設けることが推奨される。
【００２２】
次に、図５及び図６に示す実施例について説明する。
図１〜図３に示す前記実施例においては、１本の手動ポール１１の上端及び下端にシュー１２及び１３をそれぞれ取り付け、それらのシューに複数のローラを取り付けることにより、手動ポール１１が安定した状態で垂直に保たれ、かつ、フレームの上枠２２及び下枠２３に沿って円滑に移動できるように構成した。
然しながら、上記シュー１２及び１３は、手動ポール１１の安定した垂直状態を保つため、その横幅を或る程度広くする必要があり、不使用時にガラス壁の片側に寄せて保管する際に、手動ポール１１が、ガラスを固定するフレームの縦枠等に接する位置まで移動させることができず、ガラス壁の外観を損なうという問題を生じる場合がある。
【００２３】
これを解決するため、図５及び図６に示す実施例においては、２本の手動ポール１１Ａ及び１１Ｂを設け、その少なくとも１本に前記と同様のワイパーブレードを取り付けると共に、これら２本のポールを例えばリンクアーム１７，１７によって互いに接離可能なように連結し、使用時には、図５に示すように、２本のポールの間隔を広げ、不使用時には、図６に示す状態よりも更に折り畳んで、２本のポールが互いに略接触する状態にまとめられるよう構成することが推奨される。
各ポールの上端にはローラ１２ｃを、下端にはローラ１３ｃをそれぞれ取り付けるようにする。
このように構成することにより、使用時には、図５に示すように、２本のポールの間隔を広げることでこれらのポールが安定した垂直状態に保たれて、ガラス壁の清掃作業がスムースに行われ得ると共に、不使用時には、図６に示す状態よりも更に折り畳むことにより、２本のポールが互いに略接触する状態にまとめられるので、ガラスを固定するフレームの縦枠等に接する位置まで移動させることが可能となり、ガラス壁の外観を損なうおそれがない。
【００２４】
なお、本発明は上記の実施例に限定されるものではなく、その目的の範囲内において、上記の説明から当業者が容易に想到し得るすべての変更実施例を包摂するものである。
【産業上の利用可能性】
【００２５】
本発明は上記の如く構成されるから、本発明によるときは、ショーウインドウ等の広面積のガラス壁の表面を効率よく清掃でき、簡便な構造で、ガラス壁の外観を損ねることもなく、製造及び設置コストも安くで済む手動式の清掃装置を提供し得るものであり、産業上多大の利用可能性を有するものである。
【図面の簡単な説明】
【００２６】
【図１】本発明に係る広幅のガラス壁の清掃装置の一実施例を示す正面図である。
【図２】図１中のII−II線に沿った中間省略縦断面図である。
【図３】図１及び図２中のIII−III線に沿った横断面図である。
【図４】ガラスを固定するフレームの下枠に取り付けられる補助枠の一実施例を示す断面図である。
【図５】本発明に係る広幅のガラス壁の清掃装置のもう一つの実施例を示す正面図である。
【図６】図５に示した清掃装置を折り畳む途中の状態を示す正面図である。
【符号の説明】
【００２７】
１１，１１Ａ，１１Ｂ    手動ポール
１２，１３    シュー
１２ａ〜１２ｃ，１３ａ〜１３ｃ    ローラ
１４    ワイパーブレード
１５    ワイパーホルダ
１６    押出しスプリング
１７    リンクアーム
２１    ガラス
２２    上枠
２２ａ    ガイドスロット
２２ｂ    散水パイプ
２３    下枠
２３ａ    ガイドスロット
２４    補助枠
２４ａ    ガイドスロット
２４ｂ    平坦面
２５    ネジ
【図１】
2006087467.tif 000003
【図２】
2006087467.tif 000004
【図３】
2006087467.tif 000005
【図４】
2006087467.tif 000006
【図５】
2006087467.tif 000007
【図６】
2006087467.tif 000008